(57)【要約】      （修正有）【課題】中央緩衝材の位置決めを簡単確実に行い高密閉性に優れていること。【解決手段】ボトムカートン１Ａ及びトップカートン１Ｂからなる箱本体１と、４つのコーナー緩衝材２Ａ〜２Ｄ及び中央緩衝材３とを有し、ボトムカートン１Ａの端縁１ａにおける前板６及び後板の中央に互いに所定間隔をおいて一対のスリット２０を形成することによりその両スリット間に位置決め片２１が設けられ、該位置決め片２１に対向して中央緩衝材の下面から前面及び後面にかけて位置決め溝２２が形成されており、中央緩衝材をボトムカートン内の中央に挿入し、位置決め片を位置決め溝に嵌入させ、ボトムカートン内の両コーナーに下側コーナー緩衝材２Ａ，２Ｂを配置し、被梱包品Ａの下部を下側コーナー緩衝材及び中央緩衝材を介してボトムカートン内に挿入する。【選択図】図１
2012218768.tif 000002
【特許請求の範囲】
【請求項１】
ボトムカートン及びトップカートンからなる箱本体と、４つのコーナー緩衝材び中央緩
衝材とを有しており、ボトムカートン内の両コーナーに下側コーナー緩衝材を配置すると
共に、該ボトムカートン内の中央に中央緩衝材を配置し、被梱包品の下部を下側コーナー
緩衝材及び中央緩衝材を介してボトムカートン内に挿入し、その被梱包品の上部に上側コ
ーナー緩衝材を嵌合させ、トップカートンを被梱包品に被せてボトムカートンに嵌合させ
るようにした梱包用箱において、前記ボトムカートンの端縁における前板及びまたは後板
の中央に互いに所定間隔をおいて一対のスリットを形成することによりその両スリット間
に位置決め片が設けられ、該位置決め片に対向して中央緩衝材の下面から前面及びまたは
後面にかけて位置決め溝が形成されており、中央緩衝材をボトムカートン内の中央に挿入
し、ボトムカートン内に向けて折り曲げた位置決め片を位置決め溝に嵌入させるようにし
たことを特徴とする梱包用箱。
【請求項２】
ボトムカートン内の両コーナーに配置した下側コーナー緩衝材のうちの一方または両方
の高さをボトムカートンの高さよりも大きく設定して、その下側コーナー緩衝材にボトム
カートンの端縁よりも外方に突出する突出部が一体形成され、該突出部の外周面がボトム
カートンの端縁上まで膨出されていることを特徴とする請求項１に記載の梱包用箱。
【請求項３】
前記突出部のトップカートン対向角部を斜めに切断して傾斜面が形成されていることを
特徴する請求項２に記載の梱包用箱。
【発明の詳細な説明】
【技術分野】
【０００１】
本発明は、例えばテレビジョン受像機の液晶モジュ−ルなどの被梱包品を梱包するため
の梱包用箱に関し、特に、中央緩衝材の位置決めを簡単な構造で確実に行うことができ高
密閉性に優れたものである。
【背景技術】
【０００２】
従来、梱包用箱の一例として図６に示すものがあり、図６（ａ）は分解斜視図、図６（
ｂ）は同縦断面図、図６（ｃ）は同横断面図である。
【０００３】
図６に示すように、ボトムカートン１Ａ及びトップカートン１Ｂからなる箱本体１と、
液晶モジュ−ルなどの長尺薄板状被梱包品Ａ及びスタンドなどの付属品Ｂを支持する４つ
のコーナー緩衝材２Ａ〜２Ｄ及び中央緩衝材３とを有している。
【０００４】
前記ボトムカートン１Ａは、段ボール紙、厚紙、合成樹脂材などからなり、長方形の底
板５と、該底板５の前後縁から折り曲げた長尺狭幅の前板６及び後板７と、その底板５の
左右側縁から折り曲げた短尺狭幅の側板８，９とを有し、上面が開放されている。
【０００５】
前記トップカートン１Ｂは、段ボール紙、厚紙、合成樹脂材などからなり、長方形の天
板１１と、該天板１１の前後縁から折り曲げた長尺広幅の前板１２及び後板１３と、その
天板１１の左右側縁から折り曲げた短尺広幅の側板１４，１５とを有し、下面が開放され
ている。
【０００６】
前記ボトムカートン１Ａの前後両板６，７間の間隔ｈ１がトップカートン１Ｂの前後両
板１２，１３間の間隔ｈ２よりも小さく設定され（ｈ１＜ｈ２）、前記ボトムカートン１
Ａの左右両側板８，９間の間隔ｄ１がトップカートン１Ｂの左右両側板１４，１５間の間
隔ｄ２よりも小さく設定されており（ｄ１＜ｄ２）、ボトムカートン１Ａに対してトップ
カートン１Ｂを嵌合させる。
【０００７】
前記コーナー緩衝材２Ａ〜２Ｄ及び中央緩衝材３は、発泡合成樹脂材により所定形状に
成形されている。
【０００８】
梱包手順を説明すると、図６（ａ）に示すように、ボトムカートン１Ａ内の両コーナー
に下側コーナー緩衝材２Ａ，２Ｂを配置すると共に、該ボトムカートン１Ａ内の中央に中
央緩衝材３を配置する。次に、被梱包品Ａ及び付属品Ｂの下部を下側コーナー緩衝材２Ａ
，２Ｂ及び中央緩衝材３を介してボトムカートン１Ａ内に挿入し、その被梱包品Ａ及び付
属品Ｂの上部に上側コーナー緩衝材２Ｃ，２Ｄを嵌合させる。その後、図６（ｂ）に示す
ように、トップカートン１Ｂを被梱包品Ａ及び付属品Ｂに被せてボトムカートン１Ａに嵌
合させ、その互いに嵌合しているトップカートン１Ｂ及びボトムカートン１Ａを結束バン
ド（図示せず）で結束する。関連する技術として特許文献１に記載したものがある。
【先行技術文献】
【特許文献】
【０００９】
【特許文献１】特開平５−１７８３７１号公報
【発明の概要】
【発明が解決しようとする課題】
【００１０】
上記従来の構成では、被梱包品Ａの下部を下側コーナー緩衝材２Ａ，２Ｂ及び中央緩衝
材３を介してボトムカートン１Ａ内に挿入した際に、その挿入した被梱包品Ａにより中央
緩衝材３が押されて右寄りまたは左寄りに位置が変わることがあり、これでは、被梱包品
Ａの下面中央を中央緩衝材３で安定的に支えることができない。
【００１１】
そこで、中央緩衝材３を両面接着材でボトムカートン１Ａ内の中央に接着することが考
えられるが、これでは、両面接着材を用いることにより、部品点数が増加すると共に、そ
の両面接着材の貼着作業及び離型紙の剥離作業が必要であり、作業工程が増えるから、コ
ストアップになる。
【００１２】
上記欠点を解消するため、図７に示すように、ボトムカートン１Ａの底板５の中央に一
対のコ字状スリットを所定間隔をおいて形成し、そのスリットにより囲まれた舌片１７を
切り起こして中央緩衝材３をボトムカートン１Ａ内の中央に位置決めすることが考えられ
るが、一対の舌片１７を切り起こすことにより、ボトムカートン１Ａの底板５に生じた２
つの孔１８を通って、箱本体１内に塵埃などの異物が侵入するおそれがある。
【００１３】
また、トップカートン１Ｂを被梱包品Ａ及び付属品Ｂに被せてボトムカートン１Ａに嵌
合させようとしたときに、該ボトムカートン１Ａの端縁１ａにトップカートン１Ｂの端縁
１ｂが当たって、その嵌合作業を円滑に行うことが困難になることがある。
【００１４】
本発明は、上記従来の欠点に鑑み、中央緩衝材の位置決めを簡単な構造で確実に行うこ
とができ高密閉性に優れた梱包用箱を提供することを目的としている。
【課題を解決するための手段】
【００１５】
上記目的を達成するため、請求項１に記載の発明は、ボトムカートン及びトップカート
ンからなる箱本体と、４つのコーナー緩衝材び中央緩衝材とを有しており、ボトムカート
ン内の両コーナーに下側コーナー緩衝材を配置すると共に、該ボトムカートン内の中央に
中央緩衝材を配置し、被梱包品の下部を下側コーナー緩衝材及び中央緩衝材を介してボト
ムカートン内に挿入し、その被梱包品の上部に上側コーナー緩衝材を嵌合させ、トップカ
ートンを被梱包品に被せてボトムカートンに嵌合させるようにした梱包用箱において、前
記ボトムカートンの端縁における前板及びまたは後板の中央に互いに所定間隔をおいて一
対のスリットを形成することによりその両スリット間に位置決め片が設けられ、該位置決
め片に対向して中央緩衝材の下面から前面及びまたは後面にかけて位置決め溝が形成され
ており、中央緩衝材をボトムカートン内の中央に挿入し、ボトムカートン内に向けて折り
曲げた位置決め片を位置決め溝に嵌入させるようにしたことを特徴としている。
【００１６】
請求項２に記載の発明は、請求項１に記載の発明において、ボトムカートン内の両コー
ナーに配置した下側コーナー緩衝材のうちの一方または両方の高さをボトムカートンの高
さよりも大きく設定して、その下側コーナー緩衝材にボトムカートンの端縁よりも外方に
突出する突出部が一体形成され、該突出部の外周面がボトムカートンの端縁上まで膨出さ
れていることを特徴としている。
【００１７】
請求項３に記載の発明は、請求項２に記載の発明において、前記突出部のトップカート
ン対向角部を斜めに切断して傾斜面が形成されていることを特徴としている。
【発明の効果】
【００１８】
請求項１に記載の発明によれば、中央緩衝材をボトムカートン内の中央に挿入し、該中
央緩衝材の位置決め溝にボトムカートンの位置決め片を嵌入させるだけで、その中央緩衝
材をボトムカートン内の中央に位置決めして被梱包品の下面中央を安定的に支えることが
できる。
【００１９】
また、位置決め片がボトムカートンに形成されると共に、位置決め溝が中央緩衝材に形
成されており、部品点数が増加せず、構造も簡単であるから、経済性に優れている。
【００２０】
更に、位置決め片をボトムカートン内に向けて折り曲げることにより、両スリット間に
隙間が生じるが、ボトムカートンに嵌合させたトップカートンによりその隙間が塞がれる
ので、密閉性に優れており、箱本体内に塵埃などの異物が侵入することを確実に防ぐこと
ができる。
【００２１】
請求項２に記載の発明によれば、コーナー緩衝材に一体形成した突出部の外周面がボト
ムカートンの端縁上まで膨出されているので、トップカートンをボトムカートンに嵌合さ
せたときに、該トップカートンの端縁がボトムカートンの端縁に当たることがなく、その
嵌合作業を容易に行うことができる。
【００２２】
請求項３に記載の発明によれば、トップカートンをボトムカートンに嵌合させたときに
、該トップカートンの開口部が突出部の傾斜面に沿って広げられるので、その嵌合作業を
円滑に行うことができる。
【図面の簡単な説明】
【００２３】
【図１】本発明の実施の一形態である梱包用箱を示す分解斜視図である。
【図２】同要部の分解斜視図である。
【図３】（ａ）は同一部切欠き正面図、（ｂ）は同一部切欠き側面図である。
【図４】図３（ａ）のＡ−Ａ矢視図である。
【図５】図３（ａ）のＢ−Ｂ矢視図である。
【図６】（ａ）は従来の一例を示す分解斜視図、（ｂ）は同縦断面図、（ｃ）は同横断面図である。
【図７】従来の他の例を示す縦断面図である。
【発明を実施するための形態】
【００２４】
図１〜図５は本発明の実施の一形態である梱包用箱を示すものであって、ボトムカート
ン１Ａの端縁１ａにおける前板６及び後板７の中央に互いに所定間隔をおいて一対のスリ
ット２０を形成することによりその両スリット２０間に位置決め片２１が設けられ、該位
置決め片２１に対向して中央緩衝材３の下面から前面及び後面にかけて位置決め溝２２が
形成され、該位置決め溝２２の横幅ｍ１が位置決め片２１の横幅ｍ２と同一またはわずか
に大きく設定され（ｍ１≧ｍ２）、位置決め片２１を位置決め溝２２に嵌入させやすくす
るため、該位置決め片２１の高さｎが小さく設定され、図２右側の下側コーナー緩衝材２
Ｂの高さｔ１をボトムカートン１Ａの高さｔ２よりも所定間隔ｋだけ大きく設定して、そ
のコーナー緩衝材２Ｂにボトムカートン１Ａの端縁１ａよりも外方に突出する突出部２４
が一体形成され、該突出部２４の外周面２４ａがボトムカートン１Ａの端縁１ａ上まで該
ボトムカートン１Ａの厚さα分だけ膨出され、これによって、突出部２４の外周面２４ａ
がボトムカートン１Ａの外周面（前板６、後板７及び側板９）と面一状に形成され、突出
部２４のトップカートン１Ｂに対向する角部を斜めに切断して傾斜面２５が形成されてい
る。上記以外の構成は図６に示す構成とほぼ同じであるから、同一部分に同一符号を付し
てその説明を省略する。
【００２５】
梱包手順を説明すると、図１に示すように、ボトムカートン１Ａ内の両コーナーに下側
コーナー緩衝材２Ａ，２Ｂを配置すると共に、該ボトムカートン１Ａ内の中央に中央緩衝
材３を挿入し、該ボトムカートン１Ａ内に向けて折り曲げた位置決め片２１を中央緩衝材
３の位置決め溝２２に嵌入させる。次に、被梱包品Ａ及び付属品Ｂの下部を下側コーナー
緩衝材２Ａ，２Ｂ及び中央緩衝材３を介してボトムカートン１Ａ内に挿入し、その被梱包
品Ａ及び付属品Ｂの上部に上側コーナー緩衝材２Ｃ，２Ｄを嵌合させる。その後、図１の
仮想線と図３及び図４に示すように、トップカートン１Ｂを被梱包品Ａ及び付属品Ｂに被
せてボトムカートン１Ａに嵌合させると、該トップカートン１Ｂの端縁１ｂが傾斜面２５
に当たって、該トップカートン１Ｂの開口部が広げられ、そのトップカートン１Ｂの端縁
１ｂがボトムカートン１Ａの端縁１ａに当たらないようにして、嵌合作業が行われる。そ
の後、互いに嵌合しているトップカートン１Ｂ及びボトムカートン１Ａを結束バンド（図
示せず）で結束する。
【００２６】
上記構成によれば、中央緩衝材３をボトムカートン１Ａ内の中央に挿入し、該中央緩衝
材３の位置決め溝２２にボトムカートン１Ａの位置決め片２１を嵌入させるだけで、その
中央緩衝材３をボトムカートン１Ａ内の中央に位置決めして被梱包品Ａの下面中央を安定
的に支えることができる。
【００２７】
また、位置決め片２１がボトムカートン１Ａに形成されると共に、位置決め溝２２が中
央緩衝材３に形成されており、部品点数が増加せず、構造も簡単であるから、経済性に優
れている。
【００２８】
更に、位置決め片２１をボトムカートン１Ａ内に向けて折り曲げることにより、両スリ
ット２０間に隙間β（図１参照）が生じるが、ボトムカートン１Ａに嵌合させたトップカ
ートン１Ｂによりその隙間βが塞がれるので、密閉性に優れており、箱本体１内に塵埃な
どの異物が侵入することを確実に防ぐことができる。
【００２９】
しかも、図２右側の下側コーナー緩衝材２Ｂに一体形成した突出部２４の外周面２４ａ
がボトムカートン１Ａの端縁１ａ上まで膨出されているので、トップカートン１Ｂをボト
ムカートン１Ａに嵌合させたときに、該トップカートン１Ｂの端縁１ｂがボトムカートン
１Ａの端縁１ａに当たることがなく、その嵌合作業を容易に行うことができる。
【００３０】
また更に、トップカートン１Ｂをボトムカートン１Ａに嵌合させたときに、該トップカ
ートン１Ｂの開口部が突出部２４の傾斜面２５に沿って広げられるので、その嵌合作業を
円滑に行うことができる。
【００３１】
上記実施の形態では、２つの位置決め片２１と、２つの位置決め溝２２を設けたが、こ
れに限定されるわけではなく、１つの位置決め片２１をボトムカートン１Ａの前板６また
は後板７に形成し、それ対応して、１つの位置決め溝２２を中央緩衝材３の前面または後
面に形成するようにしてもよい。
【００３２】
また、突出部２４を図２右側のコーナー緩衝材２Ｂにだけ一体形成したが、これに限定
されるわけではなく、図２左側のコーナー緩衝材２Ａにも突出部２４を一体形成するよう
にしてもよい。これによって、トップカートン１Ｂの開口部両端を確実に広げてボトムカ
ートン１Ａに一層容易に嵌合させることができる。
【符号の説明】
【００３３】
１          箱本体
１Ａ        ボトムカートン
１ａ        ボトムカートンの端縁
１Ｂ        トップカートン
２Ａ〜２Ｄ  コーナー緩衝材
３          中央緩衝材
５          ボトムカートンの底板
６          ボトムカートンの前板
７          ボトムカートンの後板
２０        スリット
２１        位置決め片
２２        位置決め溝
２４        突出部
２４ａ      突出部の外周面
２５        傾斜面
Ａ          被梱包品
ｔ１        下側コーナー緩衝材の高さ
ｔ２        ボトムカートンの高さ
【図１】
2012218768.tif 000003
【図２】
2012218768.tif 000004
【図３】
2012218768.tif 000005
【図４】
2012218768.tif 000006
【図５】
2012218768.tif 000007
【図６】
2012218768.tif 000008
【図７】
2012218768.tif 000009